(57)【特許請求の範囲】
【請求項１】
中央軸線を有するベースに対してカバーを選択的に係止するためのカバー保持機構であって、
前記カバー保持機構は、
前記ベースに連結されるとともにストッパ部材を具備した受部を有するベースロックと、
弾力的に柔軟なロック部材を有し、前記カバーに連結されたカバーロックとを備え、
前記ロック部材は、第１の端部および第２の端部を有し、
前記ロック部材の前記第１の端部は、前記ロック部材の前記第２の端部に対して手動で移動可能であり、
前記ロック部材の前記第１の端部は、前記カバーが前記ベースに連結されて前記カバーが前記ベースに対して閉鎖位置に配置されたときに、前記ベースロックの前記受部内に配置されるラッチを有し、
前記カバーは、前記カバーが閉鎖位置にあるときには、前記カバーの前記ベースに対する前記中央軸線に沿った移動によっては前記ベースから取り外すことができず、
前記カバーは、前記閉鎖位置から前記カバーを前記ベースから取り外すことができる開放位置へ、前記カバーを前記ベースに対して前記中央軸線の回りで回転させるとともに前記カバーを前記ベース部に対して前記中央軸線に沿って動かすことにより、選択的に移動させることができ、
前記ロック部材の前記ラッチが前記受部の内側に位置しているときに、前記ラッチは、前記ベースロックの前記ストッパ部材に係合し、前記カバーが前記ベース部に対して前記中央軸線の回りに前記閉鎖位置から前記開放位置へ回転することを防止し、
前記ラッチを前記ベースロックの前記受部から手動で取り外すと、前記カバーは、前記ベースに対して前記中央軸線の回りで前記閉鎖位置から前記開放位置へ回転することができ、
前記ベースロックは、前記カバーが前記開放位置にあるときに前記カバーロックの前記ラッチを受け入れる受容部を有し、
前記ベースは、外側表面を有する枠を含み、
前記受容部は、前記枠の前記外側表面に開口する凹所を含み、
前記カバーロックの前記ラッチは、前記カバーを前記ベースから取り外すときに前記カバーを前記ベースに対して前記中央軸線に沿って移動させることにより、前記枠の前記外側表面にある前記開口を通過するようになっていることを特徴とするカバー保持機構。
【請求項２】
前記受部は、底部壁および側壁を有し、
前記底部壁は、前記ストッパ部材と前記側壁との間で延び、
前記側壁は、前記底部壁と前記ベースの外側表面との間で延びていることを特徴とする請求項１に記載のカバー保持機構。
【請求項３】
前記ロック部材の前記ラッチは、前記カバーが前記ベースに対し前記中央軸線の回りで前記閉鎖位置に向けて回転するときに、前記受容部と係合する傾斜面を有し、
前記ロック部材の前記第１の端部は、前記カバーが前記ハウジングに対して回転して前記ラッチの前記傾斜面が前記受容部に沿ってスライドするときに、前記中央軸線から半径方向外側に離れるように移動することを特徴とする請求項１に記載のカバー保持機構。
【請求項４】
前記ロック部材の前記ラッチは、前記ラッチが前記受部の内側に配置されたときに前記受部の前記ストッパ部材と係合する係合面を有し、
これにより前記カバーが前記ベースに対して前記中央軸線の回りに前記閉鎖位置から前記開放位置へ回転することを防止することを特徴とする請求項１に記載のカバー保持機構。
【請求項５】
前記ロック部材は、細長いアームを有していることを特徴とする請求項１に記載のカバー保持機構。
【請求項６】
前記ベースは、端部壁と、側壁と、前記側壁に取り付けられた枠とを有するハウジングを有することを特徴とする請求項１に記載のカバー保持機構。
【請求項７】
ベースに対してカバーを選択的に係止するためのカバー保持機構であって、
前記カバー保持機構は、
受部および受容部を有するベースロックと、
第１の端部および第２の端部を具備した弾性的に柔軟なロック部材を有するカバーロックとを備え、
前記ロック部材は、前記ロック部材の前記第１の端部にラッチを有し、
前記ラッチは、格納位置と延出位置との間で移動可能であり、
前記ラッチは、前記カバーが閉鎖位置において前記ベースに連結されたときに、前記ベースロックの前記受部の内側に配置されて、前記カバーが前記ベースに対して閉鎖位置から開放位置へ回転することを防止し、
前記カバーは、前記ラッチが前記延出位置にあるときに、前記ベースに対して閉鎖位置から開放位置へと回転可能であり、
前記ラッチは、前記カバーが開放位置にあってかつ前記ラッチが前記格納位置にあるときに、前記ベースロックの受容部の内側に配置されて、前記カバーを前記ベースから取り外すことができ、
前記ベースロックの前記受部は、ストッパ部材を有し、
前記カバーロックの前記ラッチは、前記ラッチが前記受部の内側に配置されたときに前記ストッパ部材と係合する係合面を有し、
前記受容部は、傾斜部を有し、
前記ラッチは、前記ラッチが前記受容部の内側に配置されるとともに前記カバーが前記ベースに対して前記開放位置から前記閉鎖位置へと回転したときに、前記傾斜部と係合することを特徴とするカバー保持機構。
【請求項８】
中央軸線を有するベースに対してカバーを選択的に係止するためのカバー保持機構であって、
前記カバー保持機構は、
前記ベースに連結されるとともにストッパ部材を具備した受部を有するベースロックと、
弾力的に柔軟なロック部材を有し、前記カバーに連結されたカバーロックとを備え、
前記ロック部材は、第１の端部および第２の端部を有し、
前記ロック部材の前記第１の端部は、前記ロック部材の前記第２の端部に対して手動で移動可能であり、
前記ロック部材の前記第１の端部は、前記カバーが前記ベースに連結されて前記カバーが前記ベースに対して閉鎖位置に配置されたときに、前記ベースロックの前記受部内に配置されるラッチを有し、
前記カバーは、前記カバーが閉鎖位置にあるときには、前記カバーの前記ベースに対する前記中央軸線に沿った移動によっては前記ベースから取り外すことができず、
前記カバーは、前記閉鎖位置から前記カバーを前記ベースから取り外すことができる開放位置へ、前記カバーを前記ベースに対して前記中央軸線の回りで回転させるとともに前記カバーを前記ベース部に対して前記中央軸線に沿って動かすことにより、選択的に移動させることができ、
前記ロック部材の前記ラッチが前記受部の内側に位置しているときに、前記ラッチは、前記ベースロックの前記ストッパ部材に係合し、前記カバーが前記ベース部に対して前記中央軸線の回りに前記閉鎖位置から前記開放位置へ回転することを防止し、
前記ラッチを前記ベースロックの前記受部から手動で取り外すと、前記カバーは、前記ベースに対して前記中央軸線の回りで前記閉鎖位置から前記開放位置へ回転することができ、
前記ベースロックは、前記カバーが前記開放位置にあるときに前記カバーロックの前記ラッチを受け入れる受容部を有し、
前記ベースロックの前記受容部は、内側に配置された第１の端部から外側に配置された第２の端部に延びる傾斜部を有し、
前記カバーロックの前記ラッチは、前記カバーが前記開放位置から前記閉鎖位置に向かって前記中央軸線の回りで回転するときに、前記傾斜部に係合して前記傾斜部の前記第２の端部に向かって前記傾斜部に沿ってスライドすることを特徴とするカバー保持機構。
【請求項９】
前記受部の前記ストッパ部材は、前記受容部の前記傾斜部の前記第２の端部に隣接して配置された遠位側の先端部分を有していることを特徴とする請求項８に記載のカバー保持機構。
【請求項１０】
前記傾斜部は、外側に配置された下端部および内側に配置された上端部を有していることを特徴とする請求項８に記載のカバー保持機構。
【請求項１１】
前記受容部は、内壁および側壁を有し、
前記内壁は、前記傾斜部の第１の端部と前記側壁との間で延び、
前記内壁は、外側に配置された底端および内側に配置された上端を有し、
前記側壁は、前記ベースの外側縁部に隣接して配置された遠位端を有していることを特徴とする請求項８に記載のカバー保持機構。
【請求項１２】
中央軸線を有するベースに対してカバーを選択的に係止するためのカバー保持機構であって、
前記カバー保持機構は、
前記ベースに連結されるとともにストッパ部材を具備した受部を有するベースロックと、
弾力的に柔軟なロック部材を有し、前記カバーに連結されたカバーロックとを備え、
前記ロック部材は、第１の端部および第２の端部を有し、
前記ロック部材の前記第１の端部は、前記ロック部材の前記第２の端部に対して手動で移動可能であり、
前記ロック部材の前記第１の端部は、前記カバーが前記ベースに連結されて前記カバーが前記ベースに対して閉鎖位置に配置されたときに、前記ベースロックの前記受部内に配置されるラッチを有し、
前記カバーは、前記カバーが閉鎖位置にあるときには、前記カバーの前記ベースに対する前記中央軸線に沿った移動によっては前記ベースから取り外すことができず、
前記カバーは、前記閉鎖位置から前記カバーを前記ベースから取り外すことができる開放位置へ、前記カバーを前記ベースに対して前記中央軸線の回りで回転させるとともに前記カバーを前記ベース部に対して前記中央軸線に沿って動かすことにより、選択的に移動させることができ、
前記ロック部材の前記ラッチが前記受部の内側に位置しているときに、前記ラッチは、前記ベースロックの前記ストッパ部材に係合し、前記カバーが前記ベース部に対して前記中央軸線の回りに前記閉鎖位置から前記開放位置へ回転することを防止し、
前記ラッチを前記ベースロックの前記受部から手動で取り外すと、前記カバーは、前記ベースに対して前記中央軸線の回りで前記閉鎖位置から前記開放位置へ回転することができ、
前記受部は、前記ベースの内側縁部に形成された開口と、前記ベースの外側縁部に形成された開口とを含むことを特徴とするカバー保持機構。
【請求項１３】
中央軸線を有するベースに対してカバーを選択的に係止するためのカバー保持機構であって、
前記カバー保持機構は、
前記ベースに連結されるとともにストッパ部材を具備した受部を有するベースロックと、
弾力的に柔軟なロック部材を有し、前記カバーに連結されたカバーロックとを備え、
前記ロック部材は、第１の端部および第２の端部を有し、
前記ロック部材の前記第１の端部は、前記ロック部材の前記第２の端部に対して手動で移動可能であり、
前記ロック部材の前記第１の端部は、前記カバーが前記ベースに連結されて前記カバーが前記ベースに対して閉鎖位置に配置されたときに、前記ベースロックの前記受部内に配置されるラッチを有し、
前記カバーは、前記カバーが閉鎖位置にあるときには、前記カバーの前記ベースに対する前記中央軸線に沿った移動によっては前記ベースから取り外すことができず、
前記カバーは、前記閉鎖位置から前記カバーを前記ベースから取り外すことができる開放位置へ、前記カバーを前記ベースに対して前記中央軸線の回りで回転させるとともに前記カバーを前記ベース部に対して前記中央軸線に沿って動かすことにより、選択的に移動させることができ、
前記ロック部材の前記ラッチが前記受部の内側に位置しているときに、前記ラッチは、前記ベースロックの前記ストッパ部材に係合し、前記カバーが前記ベース部に対して前記中央軸線の回りに前記閉鎖位置から前記開放位置へ回転することを防止し、
前記ラッチを前記ベースロックの前記受部から手動で取り外すと、前記カバーは、前記ベースに対して前記中央軸線の回りで前記閉鎖位置から前記開放位置へ回転することができ、
前記ロック部材の前記第１の端部は、凹所と先端とを有し、
前記凹所および前記先端は、前記ロック部材の前記第１の端部を格納位置から延出位置へ手動で移動することを容易にし、
前記ラッチは、前記ロック部材の前記第１の端部が前記延出位置にあるときに前記受部から取り外されることを特徴とするカバー保持機構。
【発明の詳細な説明】
【技術分野】
【０００１】
この開示は、ベース部に対してカバーを着脱自在に係止するためのカバー保持機構に向けられており、より詳しくは、計器の密封容器のカバーをこの密封容器のハウジングに着脱自在に係止するためのカバー保持機構に向けられている。
【背景技術】
【０００２】
圧力計や温度計等の計器は、多くの場合、その計器の作動機構を収容する密封容器を備えている。計器の密封容器は、多くの場合、パネルに取り付けられるように構成されたハウジングと、このハウジングに着脱自在に連結されたカバーとを有している。
【発明の概要】
【発明が解決しようとする課題】
【０００３】
計器作動機構の検査、調整、保守または交換を可能にするために、カバーをハウジングから取り外し得ることが望ましい。
【０００４】
しかしながら、カバーのハウジングからの意図的でないあるいは偶然の取り外しを防止するために、カバーを選択的にハウジングに係止できることもまた望ましい。
【課題を解決するための手段】
【０００５】
カバー保持機構は、ベースと、このベースに着脱自在に連結されるように構成されたカバーとを備える。ベースは、縁部、中央軸線、および受部を具備したベースロックを有する。受部はストッパ部材を具備している。カバーは、第１の端部および第２の端部を具備して弾性的に柔軟なロック部材を有したカバーロックを備える。ロック部材の第１の端部は、ロック部材の第２の端部に対して手動で移動させることができる。ロック部材の第１の端部は、ベースロックの受部に位置するように構成されたラッチを有し、カバーがベースに連結されてカバーがベースに対して閉鎖位置内に配置されると、ベースに対する中央軸線に沿ったカバーの動きだけによっては、カバーはベースから取り外すことができなくなる。カバーは、閉鎖位置から開放位置へと選択的に移動させることができ、中央軸線に沿ったベース部に対するカバーの移動、および中央軸線回りのベース部に対するカバーの回転によって、ベース部から取り外すことができる。
【０００６】
ロック部材のラッチが受部の内側に配置されると、このラッチがベースロックのストッパ部材と係合するように構成されていることにより、カバーのベース部に対する閉鎖位置から開放位置への中央軸線回りの回転を防止する。ラッチをベースロックの受部から手動操作で取り外すと、カバーはベース部に対して閉鎖位置から開放位置へと中央軸線の回りで回転させることができる。
【図面の簡単な説明】
【０００７】
【図１】計器ハウジング、計器カバー、および計器ハウジングに計器カバーを選択的に係止するための計器カバー保持機構を有する計器密封容器の分解斜視図。
【図２】カバー保持機構が計器ハウジングに計器カバーを係止した状態を示す計器密封容器の側面図。
【図３】カバー保持機構のベースロックを示す計器ハウジングの平面図。
【図４】カバー保持機構のベースロックを示す計器ハウジングの側面図。
【図５】計器ハウジングの底面図。
【図６】カバー保持機構のカバーロックを示す計器カバーの底面図。
【図７】計器カバーの側面図。
【図８】カバー保持機構のカバーロックを示す、図６中の破断線８−８に沿った計器カバーの断面図。
【図９】カバーが開放位置でハウジングに連結されて係止されていない状態のカバー保持機構を示す計器密封容器の要部底面図。
【図１０】カバーがハウジングに連結されて図９に示した位置からハウジングに対して反時計方向に回転するとともに、カバーロックのラッチが計器密封容器の中央軸線から半径方向外側へと移動してベースロックの受容部の斜面に係合している状態を示す、計器密封容器の要部底面図。
【図１１】カバーがハウジングに連結されて図１０に示した位置を越えてハウジングに対し反時計方向に回転するとともに、カバーロックのラッチがハウジングのベースロックの受容部のストッパ部材の先端に係合し、カバーロックのラッチが図１０に示す位置を越えて中央軸線から半径方向外側に位置した状態を示す、計器密封容器の要部底面図。
【図１２】カバーロックのラッチがベースロックの受部の内側に配置され、カバーがハウジングに対し計器密封容器の中央軸線の回りで図９に示した開放位置に向かう回転方向の移動を防止して、ラッチが受部と係合してカバーをハウジングに係止するように構成されている、カバーがハウジングに対し閉鎖位置で連結されてハウジングに係止されている状態で示す計器密封容器の要部底面図。
【図１３】カバーが閉鎖位置かつ係止状態でハウジングに連結されている状態を示す計器密封容器の平面図。
【発明を実施するための形態】
【０００８】
図１に示されている計器カバー保持機構１０は、計器のための密封容器２０に具体化されている。この密封容器２０は、例えば圧力計、温度計あるいはダイヤルゲージのような計器の作動機構を受け入れて収容するように構成されている。密封容器２０は、ハウジング３０のようなベース部と、カバー３２とを有している。カバー３２は、ハウジング３０に対して着脱自在に連結されるように構成されており、かつカバー保持機構１０は、カバー３２をハウジング３０に着脱自在に係止するように構成されている。ハウジング３０は、略直線状に長手方向に延びる中央軸線３４と、この中央軸線３４の回りに同軸に延びる略円形状で円筒状の側壁３６とを有している。この側壁３６は、第１の端部３８と第２の端部４０との間で延びている。側壁３６は、第１の端部３８に略円形状の外周端部４２を含んでいる。略円形状で環状の枠４４が、側壁３６の外周端部４２および第１の端部３８に取り付けられている。枠４４は、中央軸線３４の回りに略同軸に延びている。枠４４は、それぞれ中央軸線３４の回りに略同軸な、略円形状の外側縁部４６および略円形状の内側縁部４８を含んでいる。開口５０は、枠４４の内側縁部４８によって形成されたチャンバ５２に連通し、チャンバ５２は、側壁３６によってハウジング３０の内部に形成されている。枠４４は、略平面状の外側表面５４と、間隔を空けて配置され、略平行かつ平面状の内側表面５６とを有している。
【０００９】
枠４４は、側壁３６の第１の端部３８において、１つまたは複数の取付機構６０によって外周端部４２に取り付けられている。各取付機構６０は、第１の柱６２および第２の柱６４を有している。各柱６２，６４は、側壁３６の第１の端部３８にある外周端部４２から、枠４４の内側表面５６へと延びている。各取付機構の第１の柱６２は、隣接する取付機構６０の第２の柱６４に取り付けあるいは一体的に形成されても良い。取付機構６０は、中央軸線３４の回りに略等距離にかつ同形に、側壁３６の外周に沿って互いに間隔を空けて配置されている。各取付機構６０は、第１の柱６２と第２の柱６４との間で側壁３６に沿って延びる細長い半径方向の溝穴７０を有している。この半径方向の溝穴７０は、略平面状かつ側壁３６の第１の端部３８に沿って延びる底面７２を形成している。半径方向の溝穴７０の底面７２は、側壁３６の端部４２の一部として形成することができる。半径方向の溝穴７０はまた、第２の柱６４に突出部７４を形成しており、突出部７４は、底面７２に対して略平行でかつ間隔を空けて配置された係合面７６を具備している。半径方向の溝穴７０はまた、底面７２と係合面７６との間で略垂直に延びる端部壁７８を第２の柱６４に形成している。必要に応じて、半径方向の溝穴７０は、ハウジング３０を通って中央軸線３４から半径方向外側に延びることができる。
【００１０】
各取付機構６０はまた、第１の柱６２と第２の柱６４との間で延びる長手方向の溝穴８２を有している。この長手方向の溝穴８２は、枠４４の外側表面５４から側壁３６に向けて内側に延びるとともに、半径方向の溝穴７０と連通している。長手方向の溝穴８２は、第２の柱６４の突出部７４から第１の柱６２へと延びる側壁８４を形成している。この側壁８４は、枠４４の内側表面５６から外側表面５４へと延びている。側壁８４は、枠４４の外側縁部４６に対して略平行である。長手方向の溝穴８２はまた、側壁８４から枠４４の内側縁部４８へと延びる端部壁８６を形成している。端部壁８６は、突出部７４の外側端部を形成している。
【００１１】
各取付機構６０はまた、傾斜した斜面９０のようなカバー取外し機構を有している。この斜面９０は、底面７２に隣接して配置された第１の端部９２と、枠４４の外側表面５４に隣接して配置された第２の端部９４とを有している。斜面９０は、第１の端部９２から第２の端部９４へと延びるとともに、約４５度の角度で底面７２に対して傾斜する表面を有しているが、他の傾斜角度を用いることもできる。斜面９０の第１の端部９２は、底面７２から第２の端部９４に向けて外側へと略凹状に湾曲して延びる表面部分を有することができる。斜面９０の第２の端部９４は、枠４４の外側表面５４から第１の端部９２に向けて内側へと略凸状に湾曲して延びる表面部分を有することができる。必要に応じ、斜面９０は、枠４４の外側表面５４までずっと延びる必要はなく、かつ斜面９０の第２の端部９４は、枠４４の外側表面５４の近傍で外側表面５４から間隔を空けて配置することもできる。
【００１２】
長手方向の溝穴８２は、斜面９０の第２の端部９４に隣接して配置された第１の端部９８と、突出部７４の端部壁８６に隣接して配置された第２の端部１００とを有している。半径方向の溝穴７０は、斜面９０の第１の端部９２に隣接して配置された第１の端部１０２と、第２の柱６４に隣接して配置された第２の端部１０４とを有している。突出部７４の端部壁８６は、斜面９０の第１の端部９２に間隔を空けて配置され、長手方向の溝穴８２の第２の端部１００は、半径方向の溝穴７０および底面７２と長手方向に一列に並ぶように配置されている。それによって通路１０６が中央軸線３４に対して略平行に形成され、係合面７６から長手方向の溝穴８２によって枠４４の外側表面５４に形成されている開口まで延びている。
【００１３】
ハウジング３０はまた、端部壁１１０を有している。この端部壁１１０は、側壁３６の第２の端部４０に沿ってそこに取り付けられており、側壁３６および中央軸線３４に対して略垂直である。端部壁１１０は、中央軸線３４の回りに同軸に配置されたチャンバ５２と連通する中央開口１１２を有している。ハウジング３０は合成樹脂材料から一体的に形成することができる。チャンバ５２は計器の作動機構を受け入れるように構成されている。
【００１４】
カバー３２は、図６〜図８に示されているように、略円筒状の取付部材１２０を有している。この取付部材１２０は、略円形状かつ円筒状の側壁１２２を有している。この側壁１２２は、第１の端部１２４から第２の端部１２６まで延びるとともに外側表面１２８を有している。外周溝１３０は、側壁１２２の外側表面１２８に配置されて側壁１２２の周りに延びている。例えばＯリングのような弾性エラストマーのシール部材１３２が、外周溝１３０の内側に配置されていて、側壁１２２の周りに延びるとともに側壁１２２の外側表面１２８を越えて外側に延びている。取付部材１２０はまた、１つ若しくは複数の取付突起１３４を有しているが、ハウジング３０の各取付機構６０毎に１つの取付突起１３４を有していても良い。取付部材１２０は、必要に応じ、ハウジング３０が有している取付機構６０の数より少ない取付突起１３４を有していても良い。各取付突起１３４は、側壁１２２の外側表面１２８から外側端部１３６まで外側に延びている。各取付突起１３４はまた、略平面状の上面１３８と、この上面１３８に略平行な略平面状の底面１４０とを有している。各取付突起１３４はまた、第１の側壁１４４と、第１の側壁１４４に対して間隔を空けて配置された第２の側壁１４６とを有しており、それらは側壁１２２の外側表面１２８から取付突起１３４の外側端部１３６へと外側に延びている。第１の側壁１４４および／または第２の側壁１４６は、中央軸線３４の半径方向に対して略平行に、あるいは中央軸線３４の半径方向に対してある角度で傾斜させることができる。
【００１５】
カバー３２はまた、その外周に沿って取付部材１２０の側壁１２２の第２の端部１２６に取り付けられた略円形状のベゼル１５２を有している。このベゼル１５２は、中央軸線３４に対して垂直にかつその回りに同心状に配置されるように構成されている。ベゼル１５２は、計器の作動機構のインジケータをベゼル１５２を介して見ることができるように、透明あるいは半透明な材料から形成することができる。必要に応じて、ベゼル１５２は、例えば計器の作動機構のインジケータをゼロに合わせるために、計器の作動機構への外部からのアクセスをもたらす開口を有することができる。
【００１６】
カバー３２はまた、側壁１２２の第２の端部１２６およびベゼル１５２の周りに、そこから外側に延びる環状の鍔１５８を有している。この鍔１５８は、側壁１２２の第２の端部１２６から外側に延びる略円形状で環状のフランジ１６０を有している。このフランジ１６０は、環状の内側表面１６２と、間隔を空けて配置された環状の外側表面１６４とを有している。鍔１５８はまた、フランジ１６０の円形の外側端部に取り付けられた環状のスリーブ１６６を有している。スリーブ１６６は、カバー３２の中央軸線の回りに略同心状にフランジ１６０の外縁に沿って延びている。スリーブ１６６は、フランジ１６０の外側端部から側壁１２２に対して略平行に略円形状の先端１６７へと、概ね側壁１２２の第２の端部１２６から第１の端部１２４に向かう方向に延びている。スリーブ１６６の略円形状の先端１６７は、取付突起１３４の上面１３８と略同一平面上に配置されている。鍔１５８は、スリーブ１６６と側壁１２２との間およびフランジ１６０と取付突起１３４の上面１３８との間に配置された略環状の受部１６８を有している。この受部１６８は、ハウジング３０の枠４４を受け入れるように構成されている。鍔１５８は、スリーブ１６６の先端１６７からフランジ１６０の外側表面１６４に延びる、スリーブ１６６およびフランジ１６０の外側端部によって形成された略円筒状の側壁１７０を有している。カバー３２の中央軸線に対して略平行な方向における側壁１７０の長さは比較的短く、例えば約０．２００インチ（約５．０８ｍｍ）である。側壁１７０の外側表面は、例えば持ち上げられた隆起のような複数の握り部１７２を有することができ、それは側壁１７０の外周に配置することができる。
【００１７】
計器カバー保持機構１０は、ベースロック１８０およびカバーロック１８２を有している。ハウジング３０の枠４４がベースロック１８０を有している。カバー保持機構１０のベースは、ハウジング３０あるいはハウジング３０の枠４４を有することができる。ベースロック１８０は、枠４４に形成された受容部１８４を有している。この受容部１８４は、凹所１８６を形成している。受容部１８４は、枠４４の外側表面５４と内側表面５６との間で延びるとともに中央軸線３４に対して略半径方向に延びる略平面状の側壁１８８を有している。受容部１８４は、側壁１８８に対して略垂直に延びるとともに側壁１８８の内端に隣接した第１の端部を具備する傾斜した内壁１９０を有している。この内壁１９０は、底端１９２および上端１９４を有している。内壁１９０の上端１９４は、底端１９２よりも内側に配置されるように、底端１９２が中央軸線３４に対して配置されているよりも、中央軸線３４に対しより近くに隣接して配置されている。それによって、内壁１９０は中央軸線３４に対して垂直な方向に傾斜している。内壁１９０の上端１９４は、枠４４の外側表面５４に隣接して配置されている。低部壁１９６は、内壁１９０の下方に配置されて、内壁１９０の底端１９２から枠４４の内側表面５６へと延びている。低部壁１９６は、中央軸線３４に対して略平行である。
【００１８】
受容部１８４はまた、内壁１９０の第２の端部から外側の先端２０２へと延びる傾斜部２００を有している。この傾斜部２００は、下端２０４および上端２０６を具備した傾斜壁を有している。傾斜部２００の上端２０６は、傾斜部２００が中央軸線３４に対して垂直な方向に傾斜するように、中央軸線３４に対して傾斜部２００の下端２０４から内側に配置されている。傾斜部２００は、内壁１９０に隣接する第１の端部から先端２０２の第２の端部に向かって延びているので、中央軸線３４から横方向の外側に延びる半径方向に対して傾斜している。それにより、傾斜部２００は、水平方向および垂直方向の２つの軸に対して傾斜している。内壁１９０の底端１９２と傾斜部２００の下端２０４は、互いに並んでいる。内壁１９０の上端１９４と傾斜部２００の上端２０６は、互いに並んでいる。低部壁２０８は、傾斜部２００の下端２０４から枠４４の内側表面５６へと下方に延びている。低部壁１９６および２０８は、枠４４の内側表面５６および外側表面５４に対して略垂直である。
【００１９】
受容部１８４は、枠４４の外側縁部４６に凹所として形成されるとともに、その外側端部において開放し、その上端が枠４４の外側表面５４において開放し、かつその下端が枠４４の内側表面５６において開放している。凹部壁２１２は、枠４４の外側表面５４と内側表面５６の間で略垂直に延びるとともに、図３に示されているように、受容部１８４の側壁１８８の外側端部に隣接して配置されている第１の端部から、半径方向に延びる壁２１４に隣接する第２の端部へと、略反時計方向に延びている。凹部壁２１２は、枠４４の外側縁部４６が中央軸線３４に対して配置されている距離よりも短い距離で中央軸線３４に対して配置されていて、凹部壁２１２が外側縁部４６に対して内側に配置されている。
【００２０】
ベースロック１８０はまた、受容部１８４に隣接して枠４４に配置されて形成されている受部２２０を有している。この受部２２０は、略平面状の底部壁２２２を有し、底部壁２２２は、枠４４の外側縁部４６から内側縁部４８に延びるとともに、内側表面５６に対して略平行にかつその上方に配置され、かつ外側表面５４を含む平面の下方に間隔を空けて配置されている。受部２２０は、底部壁２２２から枠４４の外側表面５４へ外側表面５４に対して略垂直に上方に延びるとともに、中央軸線３４に対して略半径方向に延びる壁を具備したストッパ部材２２４を有している。このストッパ部材２２４は、受容部１８４の先端２０２に隣接して配置された外側端部を有している。受部２２０はまた、底部壁２２２から枠４４の外側表面５４へ、底部壁２２２および外側表面５４に対して略垂直に上方に延びる略平面状の側壁２２６を有している。この側壁２２６は、ストッパ部材２２４に対し間隔を空けてかつ平行に配置されている。受部２２０は、外側縁部４６においてその外側端部が開放するとともに、内側縁部４８においてその内側端部が開放し、かつその外側表面５４においてその上側端部が開放している凹所２２８を形成している。
【００２１】
計器カバー保持機構１０のカバーロック１８２は、カバー３２の側壁１７０に連結されている。カバーロック１８２は、第１の端部２４２および第２の端部２４４を具備した弾性的に柔軟なロック部材２４０を有している。このロック部材２４０は、第１の端部２４２から第２の端部２４４へと中央軸線３４の回りで略円弧状に延びる弾性的に柔軟なアーム２４６を有している。このアーム２４６は、底縁２４８と、間隔を空けて配置されて略平行な上縁２５０とを有している。上縁２５０は、カバー３２のフランジ１６０の内側表面１６２に対し間隔を空けてかつ内側表面１６２に対し略平行に配置されている。アーム２４６の底縁２４８は、カバー３２の側壁１７０の先端１６７と略同一平面上に位置している。ロック部材２４０は、図６に見えるように、側壁１７０の第２の端部２４４から第１の端部２４２に向けて略反時計方向へと片持ち梁のように延びている。アーム２４６は略板状であり、内側表面と外側表面との間の厚みは、底縁２４８と上縁２５０との間のアーム２４６の深さに比較すると相対的に小さい。ロック部材２４０の第１の端部２４２は、側壁１７０の端部から間隔を空けて配置されている。ロック部材２４０の第１の端部２４２は、先端２５２および凹所２５４を有している。
【００２２】
ロック部材２４０は、第１の端部２４２において、アーム２４６の内面上に配置されたラッチ２６０を含有している。このラッチ２６０は、第１の端部２４２からカバー３２の中央軸線３４に向けて内側に延びている。ラッチ２６０は、傾斜した壁あるいは面２６２を有している。傾斜面２６２は、第１の端部２４２にあるその第１の端部からその第２の端部に向けて延びるにつれて、内側に延びている。傾斜面２６２は、ベースロック１８０の傾斜部２００と係合するように構成されている。ラッチ２６０はまた、カバー３２の中央軸線３４に対して略半径方向外側に延びる係合面２６４を有している。ラッチ２６０はまた、傾斜面２６２の第２の端部と係合面２６４との間で延びる側面２６６を有している。ラッチ２６０は、アーム２４６の上縁２５０と略同一平面上にあり、かつフランジ１６０の内側表面１６２から間隔を空けて配置された上側表面２６８を有している。ラッチ２６０はまた、上側表面２６８と略平行であり、かつアーム２４６の底縁２４８から内側に間隔を空けて配置された底面２７０を有している。
【００２３】
ラッチ２６０およびロック部材２４０の第１の端部２４２は、延出位置と格納位置との間で選択的に中央軸線３４に対して略半径方向に移動することができる。ラッチ２６０およびロック部材２４０の第１の端部２４２は、格納位置から延出位置に向けて移動するときに、カバー３２の中央軸線に対して半径方向外側に移動する。凹所２５４は手動操作可能な用具を受け入れるように構成されており、かつ先端２５２はその用具と係合するように構成されていて、用具がラッチ２６０およびロック部材２４０の第１の端部２４２を格納位置から延出位置に向けて手動で移動させることができるようになっている。用具は、ユーザの指の爪の先端、ねじ回しあるいは類似の手段の先端部分とすることができる。アーム２４６は、ラッチ２６０およびロック部材２４０の第１の端部２４２を、延出位置から格納位置に向けて弾力的に付勢している。
【００２４】
カバー３２が図２に示した閉鎖状態でハウジング３０に連結されたとき、カバー３２の各取付突起１３４は、各取付機構６０の内側に配置される。取付突起１３４は、その上面１３８が突出部７４の係合面７６のすぐ近くに隣接して配置され、かつその底面１４０が底面７２のすぐ近くに隣接して配置されるように、半径方向の溝穴７０の内部に延びる。取付突起１３４の第１の側壁１４４は、半径方向の溝穴７０によって形成された端部壁７８のすぐ近くに隣接して配置される。シール部材１３２は、ハウジング３０の側壁３６の内側表面と密封的に係合し、それによってカバー３２とハウジング３０との間を密封する。中央軸線３４に沿う直線状の長手方向にカバー３２がハウジング３０から離間する移動は、ハウジング３０における取付機構６０の突出部７４の係合面７６とカバー３２の取付突起１３４との係合によって防止される。
【００２５】
カバー３２が図２に示されている閉鎖位置でハウジング３０に連結されると、カバー３２のロック部材２４０のラッチ２６０は、ベースロック１８０の受部２２０の内側に配置されて、ラッチ２６０の係合面２６４が受部２２０のストッパ部材２２４と係合するようになり、それによって図３に見えるように、ハウジング３０に対する中央軸線３４の回りの略反時計方向の第１の方向におけるカバー３２の回転が防止される。カバーロック１８２のロック部材２４０のラッチ２６０は、それによって、カバー３２をハウジング３０から取り外し得る開放位置への、カバー３２のハウジング３０に対する閉鎖位置からの回転方向の移動を防止する。ベースロック１８０とカバーロック１８２の相互の係合は、ハウジング３０に対して閉鎖位置にカバー３２を係止する。
【００２６】
カバー３２をハウジング３０から取り除くことが望まれるときに、ユーザはロック部材２４０の先端２５２に係合し、ラッチ２６０を後退位置から受部２２０の外側に位置する延出位置へと移動させると、ラッチ２６０はストッパ部材２２４と係合しなくなる。次いで、ユーザの指先が側壁１７０の握り部１７２を掴む。カバー３２は、中央軸線３４の回りで略反時計方向の第１の方向に回転される。カバー３２がハウジング３０に対して第１の回転方向に回転すると、取付突起１３４は、取付突起１３４およびカバー３２が開放位置に位置するまで、底面７２に対して略平行かつ中央軸線３４に対して横断方向に、半径方向の溝穴７０の第２の端部１０４から第１の端部１０２に向けてスライドする。カバー３２が開放位置に来ると、各取付突起１３４は、底面７２に隣接して配置されるが、斜面９０に沿っては未だスライドしておらず、また底面７２と突出部７４の係合面７６との間にはもはや位置していないが、通路１０６内で縦溝穴８２の第２の端部１００の下方に位置している。カバー３２が開放位置にあるときに、ユーザはロック部材２４０を解除することができ、アーム２４６は受容部１８４の内側にラッチ２６０を付勢する。
【００２７】
カバー３２がハウジング３０に対して開放位置に来たとき、取付突起１３４が通路１０６に沿って取付機構６０の長手方向の溝穴８２を通過し、かつラッチ２６０が受容部１８４の開放した上部を通るようにして、カバー３２をハウジング３０から離れるように中央軸線３４に沿った直線状の長手方向へと移動させ、これによりカバー３２をハウジング３０から取り外すことができる。しかしながら、カバー３２が開放位置にあるときには、各取付機構６０の突出部７４がカバー３２の長手方向の移動を妨げないにもかかわらず、弾性的なシール部材１３２は、ハウジング３０の側壁３６と係合してカバー３２を把持し、ハウジング３０の中央軸線３４に沿って長手方向にカバー３２を移動させるときに打ち勝たなければならない把持力をもたらしている。カバー３２の側壁１７０の高さが比較的短いことにより、とりわけ枠４４が取付パネルに隣接するようにハウジング３０に取り付けられている場合、ねじ回しのような工具を用いることなく、シール部材１３２がもたらしている把持力に打ち勝って中央軸線３４に沿ってカバー３２をハウジング３０から離間させるよう、ユーザの指先がカバー３２を充分に把持することは困難である。
【００２８】
シール部材１３２がもたらしている把持力にユーザが容易に打ち勝って、工具を用いることなしに通路１０６に沿ってカバー３２を取り外すことができないときには、ユーザは、ハウジング３０に対してカバー３２を開放位置から第１の回転方向へと回転させ続けることができる。このようにカバー３２がハウジング３０に対して更に回転することにより、取付突起１３４は回転し、第１の端部９２における斜面９０の凹状湾曲部分に係合する。カバー３２がハウジング３０に対して第１の回転方向に更に回転することにより、各取付突起１３４は、斜面９０の表面に沿って斜面９０の第２の端部９４に向けてスライドする。取付突起１３４が斜面９０に沿ってスライドすると、カバー３２は、中央軸線３４の回りで第１の方向に同時に回転するとともに、斜面９０によってもたらされる機械的利益により、シール部材１３２がもたらしている把持力に打ち勝ち、中央軸線３４に沿う略直線方向に離間するようにハウジング３０から外側に移動する。ラッチ２６０は、ベースロック１８０の凹部壁２１２に沿って回転する。カバー３２のハウジング３０に対する第１の回転方向への継続した回転により、取付突起１３４は、第２の端部９４における斜面９０の凸状の湾曲部分へと回転し、その後ハウジング３０の枠４４の外側表面５４へと回転し、カバー３２はハウジング３０から取り外される。
【００２９】
カバー３２は、図３に見えるように、カバー３２を中央軸線３４の回りで時計方向の第２の方向に回転させて、傾斜した斜面９０に沿って取付突起１３４を下方へとスライドさせつつ、長手方向の力を中央軸線３４に沿ってカバー３２に負荷してカバー３２を押動しハウジング３０に係合させるという逆の手順で、ハウジング３０に連結することができる。あるいは、最初に取付突起１３４を長手方向に移動させ、取付突起１３４が底面７２に係合するまで通路１０６に沿って中央軸線３４に略平行に長手方向の溝穴８２の第２の端部１００に通すと、カバー３２はハウジング３０に対して開放位置となる。シール部材１３２は、カバー３２のハウジング３０に対する連結を妨げるが、シール部材１３２がもたらしている力は、カバー３２を中央軸線３４に沿って押圧するユーザが比較的容易に打ち勝つことができる。
【００３０】
図９に示すように、カバー３２がハウジング３０に対して開放位置にあるときに、ラッチ２６０は受容部１８４の内側に後退した状態で配置されている。ユーザは、側壁１７０を指先で握持し、カバー３２をハウジング３０に対し中央軸線３４の回りで第２の方向に回転させて、取付突起１３４を底面７２と突出部７４の係合面７６との間の半径方向の溝穴７０の第２の端部１０４の内側へと回転させることにより、カバー３２を閉鎖位置とすることができる。カバー３２を、図９に示されている開放位置から図１０に矢印で示されている閉鎖位置に向けてハウジング３０に対して中央軸線３４の回りに回転させると、ラッチ２６０の傾斜面２６２が受容部１８４の傾傾斜部２００と摺動自在に係合するので、ラッチ２６０は、カバー３２がハウジング３０に対して中央軸線３４の回りで開放位置から閉鎖位置に向けて回転するにつれて、延出位置に向けて半径方向外側に押動される。
【００３１】
図１１に示したように、カバー３２をハウジング３０に対し中央軸線３４の回りで開放位置から閉鎖位置に向けて回転させ続けると、ロック部材２４０のラッチ２６０は、受容部１８４の先端２０２に係合する。カバー３２がハウジング３０に対して中央軸線３４の回りに更に回転することにより、図１２に示すように、カバー３２はハウジング３０に対して閉鎖位置へ配置され、ロック部材２４０のラッチ２６０は受部２２０の内側に配置されて格納位置となる。それによって、ラッチ２６０は、受部２２０のストッパ部材２２４と係合するようになり、カバー３２がハウジング３０に対して閉鎖位置から開放位置へと中央軸線３４の回りに回転することを防止する。それによって、カバー３２はハウジング３０に対して閉鎖位置に係止される。
【００３２】
カバー３２は、シール部材によってもたらされる保持力に打ち勝つ際に、斜面９０によってもたらされる機械的利益により、いかなる工具を用いることなしに、手だけによって、ハウジング３０に取り付けあるいは取り外すことができる。カバー３２はまた、ロック部材２４０およびラッチ２６０を格納位置から延出位置に向けて手動で移動させることにより、手だけによって、ハウジング３０に対して閉鎖位置に係止することもできるし、選択的に係止された状態から解除することもできる。
【００３３】
本発明の様々な特徴について、本発明の図示した実施形態に関連させて特に示しかつ説明してきた。しかしながら、これらの特定の構成が単なる例示であり、本発明の最大限の解釈が添付の請求の範囲によって与えられることは理解されなければならない。
【符号の説明】
【００３４】
１０  カバー保持機構
２０  密封容器
３０  ハウジング
３２  カバー
３４  中央軸線
４４  枠
６０  取付機構
７０  半径方向の溝穴
７４  突出部
８２  長手方向の溝穴
９０  斜面
１３２  シール部材
１３４  取付突起
１８０  ベースロック
１８２  カバーロック
１８４  受容部
２００  傾斜部
２２０  受部
２２４  ストッパ部材
２４０  ロック部材
２４６  アーム
２６０  ラッチ
２６２  傾斜面
２６４  係合面
【図１】
0005394341.tif 000002
【図２】
0005394341.tif 000003
【図３】
0005394341.tif 000004
【図４】
0005394341.tif 000005
【図５】
0005394341.tif 000006
【図６】
0005394341.tif 000007
【図７】
0005394341.tif 000008
【図８】
0005394341.tif 000009
【図９】
0005394341.tif 000010
【図１０】
0005394341.tif 000011
【図１１】
0005394341.tif 000012
【図１２】
0005394341.tif 000013
【図１３】
0005394341.tif 000014